(57)【要約】【課題】ファクシミリ又はデータ通信を行う場合に、従来は、1つの素子である変復調部でトーナル信号、デジタル変調信号、音声信号の3種類の信号を処理して送受信を行っていた。変復調部は3種類の信号のそれぞれに最適の処理が求められていた。各信号の検出能力および誤検出排除能力は、1つの素子である変復調部の性能に依存していた。そのために、信号の内容によっては、これを別の種類の信号と誤検出し、通信に不具合が発生することがあった。本発明は、この誤検出の発生を防止し、ファクシミリおよびデータ通信の信頼性を高めることにある。【解決手段】通信中の各手順において、使用されている信号の種類に適した音声専用デジタル信号処理部19に切替部15により切り替えて検出するようにした。これにより、音声応答装置やオペレータが発する音声により変復調部12が誤動作しなくなった。【選択図】図１
2006101247.tif 000002
【特許請求の範囲】
【請求項１】
通信回線（1）に送受する通信信号（3ａ，3ｂ）を回線制御するための回線制御処理（11）をし、
前記通信信号（3ａ，3ｂ）にトーナル信号と音声信号のうちの少なくとも一方が混在する可能性のある混在期間においては、前記通信信号（3ａ，3ｂ）の種類を判定するための種類判定用信号（7ａ，7ｂ）に切り替え、前記混在期間の経過後は通信すべき変調信号（5ａ，5ｂ）に切り替えるための切替処理（15，15Ｂ）をし、
前記種類判定用信号（7ａ，7ｂ）において、音声信号を識別することにより、トーナル信号と音声信号の種類を判定するための音声専用デジタル信号処理（19）をし、
前記通信すべき変調信号（5ａ，5ｂ）のうちの受信した信号（5ａ）を復調し、前記通信すべき変調信号（5ａ，5ｂ）のうちの送信すべき信号（5ｂ）を変調により得るための変復調処理（12）をする
通信信号の種類判定処理方法。
【請求項２】
前記切替処理（15）において、
前記混在期間を判定するために、前記通信すべき変調信号（5ａ，5ｂ）および前記種類判定用信号（7ａ，7ｂ）を監視し前記混在期間を判定して切替制御するための切替制御処理（16）をする
請求項1の通信信号の種類判定処理方法。
【請求項３】
前記切替処理（15Ｂ）において、
前記混在期間を判定するために、前記通信信号（3ａ，3ｂ）を監視し前記混在期間を判定して切替制御するための切替制御処理（16Ｂ）をする
請求項1の通信信号の種類判定処理方法。
【請求項４】
前記切替処理（15、15Ｂ）において、
前記混在期間の経過後直ちに前記変復調処理（12）を開始することを指示するための変復調処理動作指示信号（5ｃ）を出力する
請求項1の通信信号の種類判定処理方法。
【請求項５】
前記切替処理（15、15Ｂ）において、
前記混在期間の開始時に前記音声専用デジタル信号処理（19）を開始することを指示するための音声判定動作指示信号（7ｃ）を出力する
請求項1の通信信号の種類判定処理方法。
【請求項６】
通信回線（1）に送受する通信信号（3ａ，3ｂ）を回線制御するための回線制御手段（11）と、
前記通信信号（3ａ，3ｂ）にトーナル信号と音声信号のうちの少なくとも一方が混在する可能性のある混在期間においては、前記通信信号（3ａ，3ｂ）の種類を判定するための種類判定用信号（7ａ，7ｂ）に切り替え、前記混在期間の経過後は通信すべき変調信号（5ａ，5ｂ）に切り替えるための切替手段（15，15Ｂ）と、
前記種類判定用信号（7ａ，7ｂ）において、音声信号を識別することにより、トーナル信号と音声信号の種類を判定するための音声専用デジタル信号手段（19）と、
前記通信すべき変調信号（5ａ，5ｂ）のうちの受信した信号（5ａ）を復調し、前記通信すべき変調信号（5ａ，5ｂ）のうちの送信すべき信号（5ｂ）を変調により得るための変復調手段（12）とを含む
通信信号の種類判定処理装置。
【請求項７】
前記切替手段（15）が、
前記混在期間を判定するために、前記通信すべき変調信号（5ａ，5ｂ）および前記種類判定用信号（7ａ，7ｂ）を監視し前記混在期間を判定して切替制御するための切替制御手段（16）を含んでいる
請求項6の通信信号の種類判定処理装置。
【請求項８】
前記切替手段（15Ｂ）が、
前記混在期間を判定するために、前記通信信号（3ａ，3ｂ）を監視し前記混在期間を判定して切替制御するための切替制御手段（16Ｂ）を含んでいる
請求項6の通信信号の種類判定処理装置。
【請求項９】
前記切替手段（15、15Ｂ）が、
前記混在期間の経過後直ちに前記変復調処理手段（12）が動作を開始することを指示するための変復調処理動作指示信号（5ｃ）を出力する
請求項6の通信信号の種類判定処理装置。
【請求項１０】
前記切替手段（15、15Ｂ）が、
前記混在期間の開始時に前記音声専用デジタル信号処理手段（19）が動作を開始することを指示するための音声判定動作指示信号（7ｃ）を出力する
請求項6の通信信号の種類判定処理装置。
【発明の詳細な説明】
【技術分野】
【０００１】
本発明は、音声も混入することのあるファクシミリまたはデータ通信の複合装置における通信信号の種類判定処理方法と装置に関する。具体的には、ファクシミリ装置またはデータ通信装置において使用される各種の信号を的確に検出し最適に処理することにより、誤動作を防ぎ通信の信頼度を高めた、新規な通信信号の種類判定処理方法と装置を提供せんとするものである。
【背景技術】
【０００２】
ファクシミリ装置、データ通信装置および電話機は、それぞれ別個の単機能の装置として設置され使用される場合もあるが、複合機として使用される場合が多い。ファクシミリ装置ではトーナル信号が、データ通信装置ではデジタル変調信号が、電話機では音声信号が使用される。したがって、現在の相手装置からの信号が、この3種類の信号（トーナル信号、デジタル変調信号、音声信号）のうちのどれであるかを的確に判断する必要がある。電話機で音声信号を使用している最中にも、相手側装置の音声による案内などもある。例えば、「Ａをご希望の場合は、ダイヤルの1を、Ｂをご希望の場合は、ダイヤルの2を押して下さい。」との案内に対して、それに応答してダイヤルの1を押した場合には、この通信において、音声とダイヤル音が混在する。
【０００３】
図7は、従来装置の1例を示した回路構成図である。電話（通信）回線1は回線制御部11に接続されている。回線制御部11は、信号3および5によって変復調部12に接続されている。変復調部12にはデジタル信号9が接続されている。信号3は電話回線1側から回線制御部11を介して送られてくるデジタル変調信号、信号5は回線制御部11を介して電話回線1側に送るデジタル変調信号である。デジタル信号9は、たとえば、ファクシミリ画データであったり、あるいは音声信号であったりする。変復調部12は、信号3により受けたデジタル変調信号を復調してデジタル信号9を出力し、デジタル信号9をデジタル変調して信号5として送出する。
【０００４】
図8、9および10には、図7に示した従来装置を2台用いて交信する場合の動作の流れの1例を示している。従来装置ＰとＱは動作を開始しており、電話回線1を介して接続され、従来装置Ｐから従来装置Ｑに対してファクシミリ（ＦＡＸ）の送信を始めようとしている（Ｓ51、図8）。従来装置Ｐからダイヤル発信すると（Ｓ52）、電話回線1を介して従来装置Ｑに接続され、従来装置Ｑは回線制御部11において着信を確認する（Ｓ53Ｙ）。そこで従来装置Ｑは従来装置Ｐに対して、たとえば、「ただいま呼出中ですので、しばらくお待ち下さい。」という応答音声を送出し（Ｓ54）、従来装置Ｐはこれを受信する（Ｓ55）。つづいて、従来装置Ｑは呼出音（着信音）を鳴動させると同時に従来装置Ｐに対しても呼出中であることを知らせる呼出音を送出する（Ｓ56）。従来装置Ｐは、この呼出音を受信することで、従来装置Ｑ側は、呼出中であることがわかる（Ｓ57）。
【０００５】
従来装置Ｑにおいて、ハンドセットを取った（オフフックした）場合は（Ｓ58Ｙ、図9）、電話通話が開始される（Ｓ59）。ハンドセットが取られない（オンフックのままの）場合には（Ｓ58Ｎ）、従来装置ＰからのＣＮＧ信号の受信を待つ（Ｓ60）。ＣＮＧ信号は、ファクシミリ送信者（この場合は、従来装置Ｐ）側から、ファクシミリ受信者（この場合は、従来装置Ｑ）側に対して、「ファクシミリ送信ができる状態にある」と通知する信号である。したがって、従来装置Ｑが従来装置ＰからＣＮＧ信号を受信したときは、従来装置Ｐが（音声信号ではなくて）ファクシミリを送信しようとしていることが判る。従来装置Ｑは、所定の期間、ＣＮＧ信号を受信しない場合は、ステップＳ56にもどる（Ｓ60Ｎ）。
【０００６】
ＣＮＧ信号を従来装置Ｐから受信した場合は（Ｓ60Ｙ）、従来装置Ｑはトーナル信号であるＣＥＤまたはデジタル変調信号であるＤＩＳ信号を従来装置Ｐに対して送出する（Ｓ61）。従来装置Ｐは、このＣＥＤまたはＤＩＳ信号を受信しないままに（Ｓ62Ｎ）、所定の期間Ｔ1が経過する迄は（Ｓ63Ｎ）、ＣＥＤ（またはＤＩＳ）信号の検出を待ち（Ｓ64Ｎ）、ＣＮＧ信号を従来装置Ｑに対して送出してステップＳ62に戻る（Ｓ65）。ステップＳ63において所定の期間Ｔ1が経過してしまったときは（Ｓ63Ｙ）、電話（通信）回線を切断する（Ｓ66）。ステップＳ64においてＣＥＤを検出した場合にもステップＳ62に戻る（Ｓ64Ｙ）。
【０００７】
ここで、ＣＮＧ信号およびＣＥＤ信号について説明する。ＣＮＧ信号は、発呼トーンであり、発呼端末が非音声端末であることを示している。1100Ｈｚ，0.5秒継続、3秒間隔の音声信号（トーナル信号）である。ＣＥＤ信号は、トーナル信号の1種で被呼局識別信号（2100Ｈｚ、2.6秒の音声信号）であり、非被呼局は着信に応答後、ＣＥＤ信号を送信してから送信すべき信号の送信に入る。ＣＮＧ信号を受信した側（この場合は、従来装置Ｑ）から、ＣＮＧ信号を送信した側（この場合は、従来装置Ｐ）に送られる。ＣＮＧ信号およびＣＥＤ信号の送出者は、音声端末ではなく、モデムを有する端末であることを示している。ＣＮＧ信号およびＣＥＤ信号のトーン信号を検出して、音声端末とファクシミリ（ＦＡＸ）などのモデム端末の切替に使用されることもある。
【０００８】
ステップＳ62ＹにおいてＣＥＤまたはＤＩＳ信号を従来装置Ｐが受信した場合には（Ｓ62Ｙ）、従来装置Ｑから受信した信号がＤＩＳ信号またはＤＴＣ信号ではなかった場合は（Ｓ67Ｎ、図10）、電話（通信）回線を切断する（Ｓ68）。従来装置Ｑから受信した信号がＤＩＳ信号またはＤＴＣ信号であることを確認した場合は（Ｓ67Ｙ）、従来装置Ｑがファクシミリの受信可能な状態であるから、従来装置Ｐはファクシミリ（ＦＡＸ）の送信をして動作を終了する（Ｓ69）。従来装置Ｑは、ファクシミリ（ＦＡＸ）の受信を完了すると動作を終了する（Ｓ70）。
【０００９】
ここでＤＴＣ信号について説明する。ＤＴＣ信号は、ＤＩＳ信号によって識別された標準機能に対するデジタル命令応答であり、受信機になることを希望する発呼端末から、送信機能を有する被呼端末に対して送信されるデジタル送信命令である。ファクシミリ（ＦＡＸ）の送受信においては、受信側の能力（通信速度、原稿サイズ、解像度など）に合わせて、送信側が送信しなければならないので、受信側は着呼後にＤＩＳ信号を送信側に送信して自己の能力を知らせている。逆に、着呼側を送信側に切り替えて（いわゆるポーリンク機能を）使用する場合には、受信する側がＤＩＳ信号の代わりをするＤＴＣ信号を送信することによって、送受信の方向を切り替えるとともに、ファクシミリ（ＦＡＸ）受信能力を、送信側に通知する。
【００１０】
前述の従来装置Ｐの動作におけるステップＳ55からＳ67までの動作、および、従来装置Ｑの動作における、ステップＳ58からＳ61までの動作は、トーナル信号、デジタル変調信号あるいは音声信号を処理しているから、この3種の信号の種類を正確に判定し、目的とする信号以外の信号は排除しなければ、所望の動作は進行しなくなる。その一例をつぎに示す。
【００１１】
たとえば、従来装置ＰがステップＳ57（図8）において、従来装置Ｑからの呼出音をＣＥＤ信号と誤認した場合には、従来装置ＰはステップＳ62Ｙ（図9）においてＣＥＤ信号を受信したと判断し、ステップＳ65のＣＮＧ信号は送出されず、従来装置ＱからのＤＩＳ信号を待つ状態となってしまう（Ｓ67、図10）。しかし、従来装置Ｑは従来装置ＰからＣＮＧ信号を受信することはないから、タイムアウトで（Ｓ63、図9）回線切断（Ｓ66、図9）となり、ファクシミリ通信は成立しない。
【００１２】
この通信信号の種類の判定は、1つの素子である変復調部12に依存していた。1つの素子である変復調部12は、デジタル変復調信号に重点をおいて設計されているために、トーナル信号や音声信号の検出条件が単純化されている。たとえば、トーナル信号に含まれたＣＥＤ信号の検出条件は、周波数2100Ｈｚ±35Ｈｚ、検出時間は10ｍｓである。音声信号の中に、10ｍｓの短時間の間、周波数2100Ｈｚ±35Ｈｚの信号が存在したときには、その音声信号をファクシミリ通信において使われるＣＥＤ信号と誤判定してしまい、誤動作してファクシミリ通信をすることができないことになる。
【００１３】
このように、音声信号中にこの検出条件を満たすものがあれば、その音声信号をＣＥＤ信号と誤認してしまうことになる。そのために、受信中の音声信号の一部にでもトーナル信号検出の条件を満足する部分があれば、音声信号をトーナル信号として誤検出してしまうから、誤動作することになる。一方、音声専用として設計されたデジタル信号処理用の素子（ＤＳＰ）は市販されているが、トーナル信号や音声信号の検出能力においては優れているものの、デジタル変復調機能を有しておらず、変復調部12として使用することはできなかった。このＤＳＰ素子はトーナル信号の検出時間は、360ｍｓと長く、その期間の電力の変化を監視して、音声信号とトーナル信号とを判別しているから、両信号の判別および誤検出排除能力に優れている。
【００１４】
特許文献１には、ファクシミリ装置の符号化および復号化方法が開示されている。そこでは、解像度変換において各種データの相互変換を中間コードとしての積算ランレングスを用いて行い、専用の符号・復号化ハードウェアを用いない符号化および復号化方法を提供している。
【００１５】
特許文献2には、画像受信の際、常に確実にＥＯＬ信号を検出して通信を終了することができるファクシミリ装置が開示されている。そこでは、伝送速度、画質モード、伝送画像サイズに応じてパラメータＰを求め、2ライン分の伝送時間にパラメータＰを掛け、ＥＯＬ信号の非検出により画像信号の受信から通信断へ移行する所定時間を求め、この所定時間の間ＥＯＬ信号を検出できなかった場合は通信を切断して終了している。
【００１６】
特許文献3には、原稿を読み取りながら送信するダイレクト送信するファクシミリ装置において、符号量の少ない原稿の場合、通信部への画像データのブロック転送でアンダーフローが発生して通信エラーになるのを防止する手段が開示されている。そこでは、読み取りデータ1ラインの符号量が基準値以上になるようにダミーデータを挿入している。
【特許文献１】特開平5-037794号公報
【特許文献２】特開平10-233908号公報
【特許文献３】特開2000-261673号公報
【発明の開示】
【発明が解決しようとする課題】
【００１７】
トーナル信号、デジタル変調信号あるいは音声信号の3種類の信号を正確に判定し、目的とする信号以外の信号を排除しなければ、所望の動作は進行しなくなる。この判定は1つの素子である変復調部12に依存しており、正確な通信信号の種類の判定は困難であるという解決されねばならない課題があった。この1つの素子である変復調部12は、デジタル変調信号に重点をおいて設計されているために、トーナル信号や音声信号の検出条件が単純化されている。音声専用として設計されたデジタル信号処理用の素子（ＤＳＰ）に比較して、トーナル信号や音声信号の検出能力において劣っていた。しかしながら、ＤＳＰはトーナル信号や音声信号の検出能力は優れているものの、デジタル変復調機能を有しておらず、変復調部として使用することはできなかった。
【課題を解決するための手段】
【００１８】
トーナル信号や音声信号が混在する可能性のある期間における通信信号の種類判定は、音声専用デジタル信号処理部に任せ、通信信号の種類が確定した後の信号処理は変復調部が実行するようにした。この機能を実現するために、電話（通信）回線に接続された回線制御部と、変調されるべき信号と復調されるべき信号であるデジタル信号を変復調する変復調部との間に、切替部と音声専用デジタル信号処理部を設けた。通信信号にトーナル信号や音声信号が混在する可能性のある期間においては、切替部において回線制御部と音声専用デジタル信号処理部とを接続し、音声専用デジタル信号処理部に通信信号の種類判定を実行せしめる。トーナル信号や音声信号が混在する可能性のある期間を経過した後は、切替部において回線制御部と変復調部との間を接続して従来と同様の変復調動作をする。
【発明の効果】
【００１９】
通信信号にトーナル信号や音声信号が混在する可能性のある期間においては、音声専用デジタル信号処理部が信号処理を担当し、トーナル信号や音声信号が混在する可能性のある期間を経過した後は、従来と同様に変復調部が信号処理を担当するように切替処理するようにしたから、音声応答装置やオペレータが発する音声により変復調部が誤動作することはなくなった。
【発明を実施するための最良の形態】
【００２０】
トーナル信号や音声信号が混在する可能性のある期間における通信信号の種類判定は、音声専用デジタル信号処理部に任せ、通信信号の種類が確定した後の信号処理は変復調部が実行するようにした。そこで、電話回線に接続された回線制御部と、変調されるべき信号と復調されるべき信号を変復調する変復調部との間に、切替部と音声専用デジタル信号処理部を設けた。デジタル信号にトーナル信号や音声信号が混在する可能性のある期間においては、切替部により回線制御部と音声専用デジタル信号処理部とを接続し、音声専用デジタル信号処理部が音声の識別をして通信信号の種類判定を実行する。トーナル信号や音声信号が混在する可能性のある期間を経過した後は、切替部において回線制御部と変復調部との間を接続して従来と同様の変復調動作をする。
【実施例１】
【００２１】
図１は、本願発明の実施例1の構成を示している。ここで、図7に示した従来例に対応する要素については対応する記号を付した。電話（通信）回線1は回線制御部11に接続されている。回線制御部11は、通信信号である信号3ａおよび3ｂによって切替部15のスイッチＳＷ1およびＳＷ2に接続されている。信号3ａは電話回線1側から回線制御部11を介して送られてくるデジタル変調信号、信号3ｂは回線制御部11を介して電話回線1側に送るデジタル変調信号である。このスイッチＳＷ1およびＳＷ2は、切替制御器16が出力するスイッチ切替信号17ａおよび17ｂによって接点ａまたはｂを選択するように切り替えられる。
【００２２】
スイッチＳＷ1の接点ａに得た信号5ａは、変復調部12に印加され復調されてデジタル信号9として出力される。デジタル信号9が変復調部12に印加された場合は、デジタル変調されて信号5ｂとして変復調部12から出力されスイッチＳＷ2の接点ａに接続される。変復調部12は、従来から市販されているものであり、図7に示したものに同じである。デジタル信号9は、たとえば、ファクシミリ画データであったり、あるいは音声信号であったりする。スイッチＳＷ1およびＳＷ2の接点ａが選択されている場合は、信号5ｂは信号3ｂとして回線制御部11に印加され、電話（通信）回線1に送られる。
【００２３】
スイッチＳＷ1およびＳＷ2の接点ｂが選択されている場合は、通信信号の種類判定用の信号7ａ，7ｂにより、音声専用デジタル信号処理部19が回線制御部11に接続される。信号3ａ，3ｂにトーナル信号や音声信号が混在する可能性のある期間においては、切替部15においてスイッチＳＷ1およびＳＷ2の接点ｂが選択されて、回線制御部11と音声専用デジタル信号処理部19とを接続し、音声専用デジタル信号処理部19に通信信号の種類判定を実行せしめる。トーナル信号や音声信号が混在する可能性のある期間を経過した後は、切替部15においてスイッチＳＷ1およびＳＷ2の接点ａが選択されて、回線制御部11と変復調部12との間を接続して従来と同様の変復調動作をする。
【００２４】
音声専用デジタル信号処理部19は、音声専用として設計されたデジタル信号処理用の素子（ＤＳＰ）であり市販されているものである。トーナル信号や音声信号の検出能力においては優れているものの、デジタル変復調機能を有しておらず、変復調部12として使用することはできない。このＤＳＰ素子はトーナル信号の検出時間は、360ｍｓと長く、その期間の電力の変化を監視して、音声信号とトーナル信号とを判別しているから、両信号の判別および誤検出排除能力に優れている。
【００２５】
図2、3および4には、図1に示した装置を2台用いて交信する場合の動作の流れの1例を示している。装置ＡとＢは動作を開始しており、電話回線1を介して接続され、装置Ａから装置Ｂに対してファクシミリ（ＦＡＸ）の送信を始めようとしている（Ｓ1、図2）。装置Ａからダイヤル発信すると（Ｓ2）、電話回線1を介して装置Ｂに接続される。これ以後の装置Ｂからの電話回線1の信号には、トーナル信号や音声信号が混在する可能性があるので、切替部15の切替制御器16が動作してスイッチＳＷ1およびＳＷ2の接点ｂに切り替える（Ｓ3）。
【００２６】
そこで、装置Ｂは着信を確認する（Ｓ4Ｙ）。装置Ｂは装置Ａに対して、たとえば、「ただいま呼出中ですので、しばらくお待ち下さい。」という応答音声を送出し（Ｓ5）、装置Ａはこれを音声専用デジタル信号処理部19により受信する（Ｓ6）。つづいて、装置Ｂは呼出音（着信音）を鳴動させると同時に装置Ａに対しても呼出中であることを知らせる呼出音を送出する（Ｓ7）。装置Ａは、この呼出音を音声専用デジタル信号処理部19により受信することで、装置Ｂ側は呼出中であることがわかる（Ｓ8）。装置Ｂは、これ以後の装置Ａからの電話回線1の信号には、トーナル信号や音声信号が混在する可能性があるので、切替部15の切替制御器16が動作してスイッチＳＷ1およびＳＷ2の接点ｂに切り替える（Ｓ9）。
【００２７】
装置Ｂにおいて、ハンドセットを取った（オフフックした）場合は（Ｓ10Ｙ、図3）、電話通話が開始される（Ｓ11）。ハンドセットが取られない（オンフックのままの）場合には（Ｓ10Ｎ）、装置ＡからのＣＮＧ信号の受信を待つ（Ｓ12）。ここに、ＣＮＧ信号とは、トーナル信号に含まれるもので、ファクシミリ送信者（この場合は、装置Ａ）側から、ファクシミリ受信者（この場合は、装置Ｂ）側に対して、「ファクシミリ送信ができる状態にある」と通知する信号である。したがって、装置Ｂが装置ＡからＣＮＧ信号を受信したときは、装置Ａが（音声信号ではなくて）ファクシミリを送信しようとしていることが判る。装置Ｂは、所定の期間、ＣＮＧ信号を受信しない場合は、ステップＳ7にもどる（Ｓ12Ｎ）。
【００２８】
ＣＮＧ信号を装置Ａから受信した場合は（Ｓ12Ｙ）、装置ＢはＣＥＤまたはＤＩＳ信号を装置Ａに対して送出する（Ｓ13）。ここでＣＥＤ（ＤＩＳ）信号とは、トーナル信号に含まれるもので、「ファクシミリ受信可能（モデム信号を受信可能）」を通知するものであり、ＣＮＧ信号を受信した側（この場合は、装置Ｂ）から、ＣＮＧ信号を送信した側（この場合は、装置Ａ）に送られる。装置Ａは、このＣＥＤまたはＤＩＳ信号を受信しないままに（Ｓ14Ｎ）、所定の期間Ｔ1が経過する迄は（Ｓ15Ｎ）、ＣＥＤ（またはＤＩＳ）信号の検出を待ち（Ｓ16Ｎ）、ＣＮＧ信号を装置Ｂに対して送出してステップＳ14に戻る（Ｓ17）。ステップＳ15において所定の期間Ｔ1が経過してしまったときは（Ｓ15Ｙ）、電話（通信）回線1を切断する（Ｓ18）。ステップＳ16においてＣＥＤを検出した場合にもステップＳ14に戻る（Ｓ16Ｙ）。
【００２９】
装置Ｂでは、トーナル信号や音声信号が混在する可能性がなくなるので、切替部15の切替制御器16が動作してスイッチＳＷ1およびＳＷ2の接点ａに切り替えて、変復調部12が動作する（Ｓ19）。ステップＳ14においてＣＥＤまたはＤＩＳ信号を装置Ａが受信した場合には（Ｓ14Ｙ）、装置Ｂから受信した信号がＤＩＳ信号またはＤＴＣ信号ではない場合は（Ｓ20Ｎ、図4）、電話（通信）回線を切断する（Ｓ21）。
【００３０】
装置Ｂから受信した信号がＤＩＳ信号またはＤＴＣ信号である場合は（Ｓ20Ｙ）、装置Ｂが、たとえば、ファクシミリの受信可能な状態であるから、装置Ａはトーナル信号や音声信号が混在する可能性がなくなるので、切替部15の切替制御器16が動作してスイッチＳＷ1およびＳＷ2の接点ａに切り替えて（Ｓ22）、変復調部12が動作し、ファクシミリ（ＦＡＸ）の送信をして動作を終了する（Ｓ23）。装置Ｂは、ファクシミリ（ＦＡＸ）の受信を完了すると動作を終了する（Ｓ24）。以上の説明から明らかなように、トーナル信号や音声信号が混在する可能性がある期間は、音声専用デジタル信号処理部19が信号処理を担当し、混在する可能性のない期間は、変復調部12が動作するから、通信信号の種類の判定が正確に行われる。
【００３１】
図5は、図1に示した重要な構成要素の切替部15の詳細な回路構成図である。切替部15は、接点ａとｂを切り替えるスイッチＳＷ1およびＳＷ2と、このスイッチＳＷ1およびＳＷ2を切り替えるスイッチ切替信号  17ａおよび17ｂを得るための切替制御器16とを含んでいる。切替制御器16には、信号5ａ，5ｂと信号7ａ，7ｂが接続されているから、各信号の状況を常に監視することができ、スイッチ切替信号  17ａおよび17ｂを適切に出力することができる。
【００３２】
動作指示信号5ｃは、スイッチＳＷ1およびＳＷ2を接点ｂからａに切り替えたときに変復調部12に印加され、変復調動作の開始を指示する信号である。したがって、この動作指示信号5ｃを印加されなくても、スイッチＳＷ1およびＳＷ2が接点ｂからａに切り替えられたことを、たとえば、信号5ａにより変復調部12が検出して動作を開始することができる場合には、この動作指示信号5ｃは不要である。同様に、動作指示信号7ｃは、トーナル信号や音声信号が混在する可能性がある期間の初めにおいて音声専用デジタル信号処理部19に対して出力され、その動作を開始させるものであるから、動作指示信号7ｃを印加されなくても、スイッチＳＷ1およびＳＷ2が接点ａからｂに切り替えられたことを、たとえば、信号7ａにより音声専用デジタル信号処理部19が検出して動作を開始することができる場合には、この動作指示信号7ｃは不要である。
【００３３】
図6は、図1に示した重要な構成要素の切替部15の他の詳細な回路構成図である。切替制御器16は、スイッチ切替信号  17の状況により、スイッチＳＷ1およびＳＷ2が接点ａまたはｂにあることを常時認識しているから、信号3ａ，3ｂを監視するならば、切替時期を的確に判断することができる。たとえば、接点ａにあるときには、信号3ａ，3ｂは信号5ａ，5ｂに同じであり、接点ｂにあるときには、信号3ａ，3ｂは信号7ａ，7ｂに同じである。
【００３４】
図6の場合も図5の場合と同様に、動作指示信号5ｃは、スイッチＳＷ1およびＳＷ2を接点ｂからａに切り替えたときに変復調部12に印加され、動作を指示する信号である。したがって、この動作指示信号5ｃを印加されなくても、スイッチＳＷ1およびＳＷ2が接点ｂからａに切り替えられたことを、たとえば、信号5ａにより変復調部12が検出して動作を開始することができる場合には、この動作指示信号5ｃは不要である。同じく、動作指示信号7ｃを印加されなくても、スイッチＳＷ1およびＳＷ2が接点ａからｂに切り替えられたことを、たとえば、信号7ａにより音声専用デジタル信号処理部19が検出して動作を開始することができる場合には、この動作指示信号7ｃは不要である。
【図面の簡単な説明】
【００３５】
【図１】本願発明の実施例を示した回路構成図である。（実施例１）
【図２】図1に示した装置の動作の流れを示したフローチャートである。
【図３】図2とともに、図1に示した装置の動作の流れを示したフローチャートである。
【図４】図2および図3とともに、図1に示した装置の動作の流れを示したフローチャートである。
【図５】図1に示した重要な構成要素の切替部の詳細な回路構成図である。
【図６】図1に示した重要な構成要素の切替部の他の詳細な回路構成図である。
【図７】従来例を示した回路構成図である。
【図８】図7に示した従来装置の動作の流れを示したフローチャートである。
【図９】図8とともに、図7に示した従来装置の動作の流れを示したフローチャートである。
【図１０】図8および図9とともに、図7に示した従来装置の動作の流れを示したフローチャートである。
【符号の説明】
【００３６】
1  電話回線
3，3ａ，3ｂ，5，5ａ，5ｂ，7ａ，7ｂ  信号
5ｃ，7ｃ  動作指示信号
9  デジタル信号
11  回線制御部
12  変復調部
15，15Ｂ  切替部
16,16Ｂ  切替制御器
17ａ，17ｂ  スイッチ切替信号
19  音声専用デジタル信号処理部
ＳＷ1，ＳＷ2  スイッチ
【図１】
2006101247.tif 000003
【図２】
2006101247.tif 000004
【図３】
2006101247.tif 000005
【図４】
2006101247.tif 000006
【図５】
2006101247.tif 000007
【図６】
2006101247.tif 000008
【図７】
2006101247.tif 000009
【図８】
2006101247.tif 000010
【図９】
2006101247.tif 000011
【図１０】
2006101247.tif 000012